(57)【特許請求の範囲】
【請求項１】
コモン電極とこれに対向してマトリクス状に配置された個別に制御可能な複数の画素電極との間に液晶を注入した液晶パネルの前記コモン電極及び前記画素電極間に一定のフレーム周期毎に電圧を反転させながら印加する反転駆動方式の液晶表示装置において、
表示モードを縦伸長モードに切り替えるための表示モード切替手段と、
前記画素電極及び前記コモン電極間に印加される反転電圧の中心電位レベルを、Ｄ／Ａコンバータを介して段階的にシフトさせることにより調整するレベル調整手段とを具備し、
フリッカ調整時には、その開始時に前記表示モードを縦伸長モードに設定するとともに前記中心電位レベルをフリッカが顕著に発生するように設定して、前記中心電位レベルを調整することによりフリッカを最小に調整することを特徴とする液晶表示装置。
【請求項２】
前記レベル調整手段は、前記液晶パネルの表示画面上に装着されたタッチスイッチによって前記中心電位レベルを調整するように構成されていることを特徴とする請求項１記載の液晶表示装置。
【請求項３】
コモン電極とこれに対向してマトリクス状に配置された個別に制御可能な複数の画素電極との間に液晶を注入した液晶パネルの前記コモン電極及び前記画素電極間に一定のフレーム周期毎に電圧を反転させながら印加する反転駆動方式の液晶表示装置において、
前記表示モードを縦伸長モードに設定するとともに前記画素電極及び前記コモン電極間に印加される反転電圧の中心電位レベルをフリッカが顕著に発生するように設定し、前記中心電位レベルをＤ／Ａコンバータを介して段階的にシフトさせることにより調整することによって、フリッカを最小に調整することを特徴とする液晶表示装置のフリッカ調整方法。
【発明の詳細な説明】
【０００１】
【発明の属する技術分野】
本発明は、フリッカを最小に調整することが可能な液晶表示装置及びそのフリッカ調整方法に関する。
【０００２】
【従来の技術】
従来より、例えばカーナビゲーション装置に接続して地図や自動車の位置等を表示するためのアクティブマトリクス方式の液晶表示装置がある。このような液晶表示装置では、液晶に直流を印加し続けることにより液晶物質が劣化するのを防ぐため、液晶パネルの画素電極及びコモン電極間に印加する電圧を一定のフレーム周期毎に反転させる反転駆動方式の駆動制御が採用されている（以下、この両電極間に印加される電圧を反転電圧と称す）。
【０００３】
この場合、反転電圧の中心電位レベルを基準レベル（両電極間の電位差が０Ｖのレベル）に一致させて、反転電圧の基準レベルに対する正側及び負側の振幅比を対称にすることによって表示画面のちらつき（フリッカ）は抑制される。しかしながら、実際に製造される液晶パネルでは、ＴＦＴ内に生じる寄生容量等の影響を受けて反転電圧の中心電位レベルが基準レベルに対して若干（例えばΔＶ）シフトしてしまい、フレーム周期毎の前記対称性が崩れてフリッカが発生してしまうという問題があった。
【０００４】
そのため、液晶表示装置の製造時には、フリッカを最小にするためのフリッカ調整が行われている。このフリッカ調整は、液晶表示装置に設けられたフリッカ調整手段によって、コモン電極に印加するコモン信号の中心電位レベルを前記シフトした電圧ΔＶ分だけ補正することにより行われるように構成されている。図８は従来の液晶表示装置１００の外観を示す図であり、以下、この図８を参照しながらフリッカを調整する方法について説明する。
【０００５】
まず作業者は、液晶表示装置１００の後壁面に設置された図示しないディップスイッチを操作して、表示画面上にフリッカ調整用の映像を表示させる。この映像は、１走査線毎に白と黒とを交互に繰り返したストライプ状のものである。この白と黒とのストライプ状の映像を表示させる理由は、反転電圧の振幅が最大となる白と最小となる黒とを交互に表示させることにより、フリッカが発生し易くなるためである。また、このとき、表示画面の表示モードは、フルモード（液晶パネルの全走査線を１走査線毎に順次走査して各走査線毎の各画素電極に映像信号を印加する駆動方式による表示モード）に設定される。
【０００６】
次に作業者は、液晶表示装置１００の側壁面に設けられた調整用穴１０１に調整用ドライバー１０２を挿入し、この調整用穴１０１の奥部に設置されたコモン信号の中心電位レベルを調整するための図示しないボリュームを回すことによって、表示画面のフリッカが最小となるような調整を行う。
【０００７】
【発明が解決しようとする課題】
しかしながら、従来のこのような表示モードをフルモードに設定してフリッカを調整する方法ではフリッカの変化度合が小さいので、作業者の目視による調整では作業者の熟練度、疲労度により調整にばらつきが生じて、安定した高精度のフリッカ調整を行うことができなかった。
【０００８】
本発明は上述の事情に鑑みてなされたものであり、従ってその目的は、フリッカの変化度合を大きくすることによって、安定した高精度のフリッカ調整を行うことができる液晶表示装置及びそのフリッカ調整方法を提供することにある。
【０００９】
【課題を解決するための手段】
上記目的を達成するために、本発明の液晶表示装置は、表示モード切替手段により表示モードを縦伸長モードに設定してフリッカの変化度合を大きくし、且つ、レベル調整手段により反転電圧の中心電位レベルをフリッカが顕著に発生するように設定し、前記レベル調整手段によりＤ／Ａコンバータを介して前記中心電位レベルを段階的に調整してフリッカを最小に調整するように構成されている（請求項１の発明）。これにより、安定した高精度のフリッカ調整を行うことができるとともに、作業者に確実にフリッカ調整作業を行わせることができる。これにより、例えばフリッカ調整開始時にフリッカの発生が若干確認できるような場合に、フリッカ調整を行わずに調整済として製品を流してしまうような行為を防止できる。
【００１０】
また、レベル調整手段は、液晶パネルの表示画面上に装着されたタッチスイッチによって反転電圧の中心電位レベルを調整するように構成してもよく（請求項２の発明）、これにより表示画面上のタッチスイッチを操作するだけで簡単にフリッカ調整を行うことができ、作業効率を向上させることができる。
【００１２】
また、表示モードを縦伸長モードに設定してフリッカを最小にする調整方法（請求項３の発明）は、表示モード切替手段及び調整手段を内蔵した液晶表示装置に限定されるものではなく、あらゆる反転駆動方式の液晶表示装置に適用できる。
【００１３】
【発明の実施の形態】
以下、本発明をカーナビゲーション装置（カーナビ装置）に接続されるアクティブマトリクス方式の液晶表示装置に適用した一実施例について、図１乃至図７を参照して説明する。
【００１４】
まず図２は、液晶表示装置１の外観を示すものである。直方体形状の筐体２の前面中央部には矩形状の開口部２ａが形成され、例えば７インチ型の液晶パネル３が装着されており、この液晶パネル３の表示画面上には全面に渡ってタッチスイッチ４が装着されている。また、筐体２の前面上部及び両側部には操作ボタン５ａが複数装着され、夫々に対応してカーナビ装置８を制御するための操作スイッチ５が配設されている（いずれも図１参照）。
【００１５】
次に図１は、液晶表示装置１のブロック構成を示すものである。制御回路６は、マイクロコンピュータ（マイコン）を主体とした電子回路で構成されており、マイコンに書き込まれたソフトウェアによって液晶表示装置１全体の制御が行われるようになっている。例えば、制御回路６では、タッチスイッチ４及び操作スイッチ５のオンオフ状態の検出が行われる。このタッチスイッチ４は、制御回路６によって液晶パネル３の表示画面上に表示されるボタンの位置に合わせて設定されるようになっている。また、制御回路６では、詳細は後述するが、映像生成回路７を制御するための制御信号や、コモン信号の中心電位レベルを調整するためのレベル調整信号が生成される。
【００１６】
映像生成回路７では、制御回路６より入力する制御信号に基づいて、カーナビ装置８より入力する画像データ信号が取り込まれ、同期のとられたタイミング信号、映像信号、ゲート信号及びコモン信号が生成される。そして、タイミング信号及び映像信号は信号電極駆動回路９に出力され、ゲート信号は走査電極駆動回路１０に出力され、コモン信号はコモン信号増幅回路１１に出力される。
【００１７】
コモン信号増幅回路１１では、まず、映像生成回路７より入力するコモン信号が増幅される。次に、Ｄ／Ａコンバータ１２を介して制御回路６より入力するレベル調整信号に基づいて、増幅されたコモン信号の中心電位レベルのシフトが行われる。そして、このシフトされたコモン信号は、液晶パネル３のコモン電極１３ａ（後述）に出力される。
そして、制御回路６のレベル調整信号を生成する機能、Ｄ／Ａコンバータ１２及びコモン信号増幅回路１１によりレベル調整手段１４が構成されている。
【００１８】
液晶パネル３は、信号電極駆動回路９、走査電極駆動回路１０及びアクティブマトリクス方式の液晶表示部１３を主体として構成されている。
液晶表示部１３は、対向する一対のガラス基板（図示せず）の一方のガラス基板表面に複数の画素電極（透明電極、図示せず）がマトリクス状に形成され、他方のガラス基板表面に一つのコモン電極（透明電極）１３ａが形成され、対向するガラス基板間に液晶１３ｂが注入されて構成されている。そして、画素電極が形成されたガラス基板には、画素電極にソースを接続した薄膜トランジスタ（ＴＦＴ）１３ｃが各画素電極と対を為すように形成されている。このマトリクスの行方向には、行方向に並ぶＴＦＴ１３ｃのゲートを共通の走査線に接続するようにして各行毎に走査線１３ｄが設けられ、マトリクスの列方向には、列方向に並ぶＴＦＴ１３ｃのドレインを共通の信号線に接続するようにして各列毎に信号線１３ｅが設けられている。また、ＴＦＴ１３ｃ内には寄生容量等が生じており、図１中に１３ｇとして示してある。
【００１９】
走査電極駆動回路１０では、映像生成回路７より入力するゲート信号に基づいて、液晶表示部１３の最上行の走査線１３ｆから１走査線毎に一定の時間間隔でパルス状のゲート信号が順次印加され、各行毎に順次ＴＦＴ１３ｃをオンオフさせる制御が行われる。ここで、液晶表示部１３の最上行の走査線１３ｆから最下行の走査線１３ｄまで１回走査するのに要する時間を１フレーム周期と呼ぶこととする。また、信号電極駆動回路９では、映像生成回路７より入力するタイミング信号に基づいて、各行のＴＦＴ１３ｃのオンに同期させながら全信号線１３ｅに対して映像信号を印加する制御が行われる。そして、先記したように、コモン電極１３ａにはコモン信号が印加される。これにより、画素電極及びコモン電極間（以下、単に電極間と称す）には電荷が蓄積されて電極間の液晶１３ｂに電圧が印加され、各画素毎に液晶分子の配列が変化して光の透過特性が変化し、表示画面上に所定の映像が表示される。
【００２０】
尚、この液晶表示装置１では、液晶１３ｂに直流を印加し続けることにより液晶物質が劣化するのを防ぐため、電極間に印加する電圧を一定のフレーム周期（全走査線を１回走査する周期）毎に反転させる反転駆動方式による駆動制御が行われている。即ち、映像生成回路７では、フレーム周期毎に基準レベル（電極間の電位差が０Ｖのレベル）に対して電位レベルの符号を反転させた映像信号及びコモン信号が出力されるようになっている。これにより、電極間に印加される電圧は、基準レベルに対する正側及び負側への振幅比が対称となるような反転電圧となる。
【００２１】
ところで、制御回路６には、表示モード切替手段１５が備えられており、制御回路６から映像生成回路７に出力される制御信号によって表示モードがフルモード又は縦伸長モードに切替可能になっている。この表示モードの切替は、所定のタッチスイッチ４（後述）を押すことにより行われる。尚、フルモードとは、液晶パネル３の全走査線１３ｄを１走査線毎に順次走査して各走査線毎の各画素電極に映像信号を印加する駆動方式による表示モードであり、縦伸長モードとは、液晶パネル３の全走査線１３ｅを隣接する２走査線毎に順次走査して隣接する２走査線毎の各画素電極に映像信号を印加する駆動方式による表示モードである。特に、この縦伸長モードは、２つの走査線１３ｄ上のＴＦＴ１３ｃが同時にオンして映像信号を書き込むことにより、フルモードの映像が縦に２倍に伸びた状態で表示されるものである。
【００２２】
＜フリッカ調整の作用説明＞
次に、液晶表示装置１のフリッカ調整を行うための作用について図３乃至図７を参照しながら説明する。
【００２３】
≪▲１▼フリッカ調整用メニュー画面の表示≫
液晶表示装置１は、電源（図示せず）をオンすることにより表示画面上にメインメニュー画面（図示せず）が表示される。このメインメニュー画面中には、表示モード等の各種設定やフリッカ等の各種調整を行うための項目、及び、各項目に対応する選択ボタンが表示される。このとき、各選択ボタンが表示された位置と同位置のタッチスイッチが有効になる。尚、電源をオンした時点での表示画面の表示モードはフルモードに設定されている。
【００２４】
さて、メインメニュー画面には『フリッカ調整用メニュー』という項目が有り、この項目に対応する選択ボタンが押されると、図３に示すようなフリッカ調整用メニュー画面１６が表示される。このフリッカ調整用メニュー画面１６の表示モードもフルモードに設定されている。そして、このフリッカ調整用メニュー画面１６の中央部には矩形状の枠１６ａが表示され、この枠１６ａ内部には１走査線毎に白と黒とを交互に繰り返したストライプ状の映像が表示される。この白と黒とのストライプ状の映像を表示させる理由は、反転電圧の振幅が最大となる白と最小となる黒とを交互に表示させることにより、フリッカを発生し易くするためである。従って、作業者は、この枠１６ａ内部の映像を目視することによりフリッカの発生状態を確認することができる。
【００２５】
また、このフリッカ調整用メニュー画面１６には、枠１６ａ上部に『フリッカ調整』ボタン１６ｂが表示され、右側部下側に『調整完了』ボタン１６ｃが表示され、左側部にコモン信号の中心電位レベルを調整するための『レベル調整』ボタン１６ｄ、及び、設定された前記中心電位レベルを表示するために１１個の表示部１６ｅが設けられた『レベルメーター』１６ｆが表示される。
【００２６】
≪▲２▼フリッカ調整用画面の表示≫
このフリッカ調整用メニュー画面１６において、『フリッカ調整』ボタン１６ｂが押されると、制御回路６によって表示画面の表示モードは縦伸長モードに切り替えられる。そして、表示画面上には、図４に示すようなフリッカ調整用画面１７が表示される。このフリッカ調整用画面１７では、表示モードが縦伸長モードに切り替わることに対応して、『調整完了』ボタン１６ｃ、『レベル調整』ボタン１６ｄ及び『レベルメーター』１６ｆが縦に２倍に伸びた状態で表示されるようになっている。
【００２７】
また、フリッカ調整用画面１７には、表示画面全体に渡ってフリッカを表示させるための白と黒とを交互に繰り返したストライプ状の映像が表示される。このストライプ状の映像は、２走査線毎に白と黒とを交互に繰り返したものである。尚、このように縦伸長モードでストライプ状の映像を表示させた場合には、フルモードで同様の表示をさせた場合に比べて、フリッカを非常に顕著に発生させることができることが分かっている。（この現象は発明者により見出された。）
【００２８】
≪▲３▼フリッカ調整方法の概略≫
このフリッカ調整用画面１７に基づいてフリッカの調整が行われるのだが、具体的な調整手順を説明する前に、フリッカ調整方法の概略について説明する。
【００２９】
図５は、ストライプ映像にフリッカが発生しない場合の（ａ）映像信号、（ｂ）コモン信号、及び、（ｃ）反転電圧の波形の一例を示すものである。この図５では、映像信号及びコモン信号の中心電位レベルが基準レベルに一致する結果、反転電圧の中心電位レベルも基準レベルに一致するという様子が示されている。このように反転電圧の中心電位レベルが基準レベルに一致することにより、基準レベルに対する反転電圧の正側及び負側の振幅比が対称となり、フリッカの発生は抑制される。即ち、フリッカの発生を抑制するためには、反転電圧の中心電位レベルを基準レベルに一致させればよい。
【００３０】
ところで、実際の液晶パネル３では、ＴＦＴ１３ｃ内の寄生容量等１３ｇが存在するため、映像信号、コモン信号及び反転電圧の電位はその影響を受けて変動する。図６の実線波形は、前記影響を受けてストライプ映像にフリッカが発生する場合の（ａ）映像信号、（ｂ）コモン信号、及び、（ｃ）反転電圧の一例を示すものである。この図６では、コモン信号の中心電位レベルは基準レベルに一致しているが、映像信号の中心電位レベルが基準レベルよりも正側にシフトしているために、反転電圧の中心電位レベルが基準レベルよりも正側にシフトしている様子が示されている。これにより、反転電圧の中心電位レベルが基準レベルと一致しないので、フリッカが発生してしまう。
【００３１】
そこで、本実施例の液晶表示装置１では、コモン信号の中心電位レベルをシフトさせることにより反転電圧の中心電位レベルを基準レベルに一致させてフリッカの発生を抑制するというフリッカ調整方法が採用されている。例えば、図６においてフリッカの発生を抑制する場合には、図６（ｂ）の点線波形のようにコモン信号の中心電位レベルを基準レベルよりも正側にシフトさせる。これにより、図６（ｃ）の点線波形のように反転電圧の中心電位レベルがコモン信号のシフト分だけ負側にシフトして、この中心電位レベルは基準レベルに一致する。よって、フリッカの発生を抑制することができる。
【００３２】
≪▲４▼具体的な調整手順≫
次に、フリッカ調整の具体的な作業手順について説明する。作業者は、図４に示す『レベル調整』ボタン１６ｄを押すことによって、コモン信号の中心電位レベルをシフトさせる。このとき制御回路６（図１参照）では、『レベル調整』ボタン１６ｄに対応したタッチスイッチ４の入力が検出され、これに応じて電圧値をシフトさせたレベル調整信号が出力される。これによりコモン信号増幅回路１１から出力されるコモン信号の中心電位レベルがシフトする。このコモン信号のシフト範囲は、図７に示すように、基準レベルを中心として正側に５段階、負側に５段階のシフトが可能なように設定されている。
【００３３】
ここで図７において、コモン信号の中心電位レベルを負側に最大にシフトさせたものを「レベル１」とし、順次レベル数を上げながら、正側に最大にシフトさせたものを「レベル１１」と称すことにする。この「レベル１」〜「レベル１１」間のシフト幅は、過去に製造された液晶表示装置１のフリッカ調整時のシフト幅の統計に基づいて略１００％のフリッカ調整が可能なように設定されたものである。従って、新たに製造される液晶表示装置１は、このシフト範囲内でコモン信号を調整することによりフリッカの発生を抑制することができる。
【００３４】
尚、液晶表示装置１では、図４に示すようにフリッカ調整用画面１７を表示させたとき（フリッカ調整開始時）に、コモン信号がレベル１に設定されるようになっている。この『レベルメーター』１６ｆの表示部１６ｅは、その最下段が「レベル１」に対応し、最上段が「レベル１１」に対応している。図４では、最下段の表示部１６ｅが点灯してコモン信号が「レベル１」に設定されている様子が示されている。これにより、反転電圧の中心電位レベルは基準レベルから強制的に大きくずらされ、フリッカ調整開始時には、変化度合の大きなフリッカが発生する状態（フリッカが顕著に発生する状態）となる。
【００３５】
そこで作業者は、図４において、『レベルメーター』１６ｆに表示されるコモン信号の「レベル」を確認しながら、『レベル調整』ボタン１６ｄを押して「レベル」をシフトさせ、白と黒とのストライプ状の映像のフリッカが最小になるように調整する。そして、フリッカ調整が完了した時点で『調整完了』ボタン１６ｃを押す。
【００３６】
制御回路６では、『調整完了』ボタン１６ｃが押されると、その時点でのコモン信号の「レベル」が記録され、全ての表示モードにおいて、この「レベル」に対応するレベル調整信号が常に出力されるようになる。また、制御回路６では、表示モードの縦伸長モードからフルモードへの切り替え、及び、フリッカ調整画面１７からメインメニュー画面への切り替えが行われる。
【００３７】
以上説明したように本実施例によれば、表示モード切替手段１５により表示モードを縦伸長モードに設定してフリッカの変化度合を大きくし、レベル調整手段１４によりフリッカを最小に調整するようにしたので、安定した高精度のフリッカ調整を行うことができる。従って、不慣れな作業者でも短時間でフリッカ調整を行うことができ、液晶表示装置１の生産性を向上させることができる。
【００３８】
また、レベル調整手段１４は、液晶パネル３の表示画面上に表示される『レベル調整』ボタン１６ｄ（タッチスイッチ４）によって反転電圧の中心電位レベルを調整するようにしたので、表示画面上のタッチスイッチ４を操作するだけで簡単にフリッカ調整を行うことができ、作業効率を向上させることができる。
【００３９】
また、レベル調整手段１４は、フリッカ調整開始時にフリッカが顕著に発生するように反転電圧の中心電位レベルを「レベル１」に設定するようにしたので、作業者に確実にフリッカ調整作業を行わせることができる。これにより、例えばフリッカ調整開始時にフリッカの発生が若干確認できるような場合に、フリッカ調整を行わずに調整済として製品を流してしまうような行為を防止できる。
【００４０】
尚、本発明は、上記実施例に限定されるものではなく、次のような変形、拡張が可能である。
本実施例では、本発明をカーナビ装置に接続されるアクティブマトリクス方式の液晶表示装置に適用したが、これに限定されるものではなく、あらゆる反転駆動方式の液晶表示装置全般に適用できる。
【００４１】
本実施例では、コモン信号の中心電位レベルを調整して、反転電圧の中心電位レベルを基準レベルに一致させるように構成したが、これに限定されるものではなく、例えば映像信号の中心電位レベルを調整したり、或いは、コモン信号及び映像信号の両方の中心電位レベルを調整する構成としてもよい。
【００４２】
本実施例では、表示モードを縦伸長モードに切り替えるための表示モード切替手段を制御回路に内蔵させる構成としたが、これに限定されるものではなく、例えば液晶表示装置に別途表示モードを切り替えるためのディップスイッチを設けるような構成としてもよい。
本実施例では、表示モードを縦伸長モードに設定してフリッカを最小に調整する方法を表示モード切替手段及び調整手段を内蔵した液晶表示装置に適用したが、これらを内蔵したものに限定されるものではなく、あらゆるタイプの反転駆動方式の液晶表示装置に適用できる。
【００４３】
本実施例では、縦伸長モードとは、液晶パネルの全走査線を隣接する２走査線毎に順次走査して隣接する２走査線毎の各画素電極に映像信号を印加する駆動方式による表示モードであると定義したが、同時に走査する走査線数は２走査線に限定されるものではなく、３走査線以上の複数でもよい。要は、フリッカの変化度合が大きくなるような走査線数にすればよい。
【００４４】
本実施例では、白と黒とを交互に繰り返したストライプ状の映像を表示させてフリッカの調整を行ったが、これに限定されるものではなく、要は、フリッカの変化度合が大きくなるような映像であればよい。
本実施例では、本発明を液晶パネルの表示画面上にタッチスイッチが装着された構成の液晶表示装置に適用したが、タッチパネルの装着されていない構成の液晶表示装置にも適用できる。
【００４５】
本実施例では、作業者の目視によるフリッカ調整について例示したが、例えば表示画面のフリッカをフォトダイオードにより検出し、フリッカ成分を電気的な交流信号に変換し、この交流信号が最小になるように自動的にコモン信号の中心電位レベルを調整するフリッカ自動調整装置に適用してもよい。この場合にも、ダイオードによるフリッカの検出の感度が良くなるので、安定した高精度の調整が可能になる。
【図面の簡単な説明】
【図１】本発明の実施例を示す液晶表示装置のブロック図
【図２】液晶表示装置の外観図
【図３】フリッカ調整用メニュー画面の表示例を示す図
【図４】フリッカ調整用画面の表示例を示す図
【図５】フリッカ非発生時の映像信号、コモン信号、反転電圧の波形例を示す図
【図６】フリッカ発生時の映像信号、コモン信号、反転電圧の波形例を示す図
【図７】コモン信号の中心電位レベルの調整範囲を示す図
【図８】従来例を示す図２相当図
【符号の説明】
図面中、１は液晶表示装置、３は液晶パネル、４はタッチスイッチ、６は制御回路、７は映像生成回路、９は信号電極駆動回路、１０は走査電極駆動回路、１１はコモン信号増幅回路、１２はＤ／Ａコンバータ、１３は液晶表示部、１３ａはコモン電極、１３ｂは液晶、１３ｃは薄膜トランジスタ（ＴＦＴ）、１３ｄは走査線、１３ｅは信号線、１３ｇは寄生容量、１４はレベル調整手段、１５は表示モード切替手段、１６はフリッカ調整用メニュー画面、１７はフリッカ調整用画面を示す。
【図１】
0003637864.tif 000002
【図２】
0003637864.tif 000003
【図３】
0003637864.tif 000004
【図４】
0003637864.tif 000005
【図５】
0003637864.tif 000006
【図６】
0003637864.tif 000007
【図７】
0003637864.tif 000008
【図８】
0003637864.tif 000009